(57)【要約】【課題】排出ガス再循環（ＥＧＲ）ベンチュリディーゼル噴射のための優れたシステムおよび方法を提供する。【解決手段】第１及び第２ガス流れを混合するための装置は、例えば排出ガスを伴った流入流れがディーゼルエンジン内に戻るように流れる。空気導管は、混合を達成するために、第１流れのための入り口と第２流れのための入り口とを備えている。バルブ本体は、ベンチュリ効果の変化および吸気の変化を達成するために、第２流れのための入り口において空気導管の長手方向に変位される。１つ以上の燃料噴射器は燃料を空気導管内に噴射して第１ガス流れおよび第２ガス流れと燃料を予備混合し、予備混合は燃焼のためにエンジンへと流れる前に実行される。【選択図】図１
2013044331.tif 000002
【特許請求の範囲】
【請求項１】
予備混合ガス流れおよび燃料のための機器であって、該機器は、
第１ガス流れのための吸入口を備え、該吸入口を通じて空気がエンジンへと流れる空気導管であって、狭窄部を備えた空気導管と、
可変のベンチュリ効果および可変の吸気化を達成するために、前記空気導管の長手方向に変位されるように組み込まれたバルブ本体と、
前記空気導管内に燃料を噴射するための１つ以上の燃料噴射器であって、前記バルブ本体にもしくはそれよりも上流に配置された１つ以上の燃料噴射器と、を具備し、
前記空気導管内に噴射された燃料は前記ガス流れと混合して混合気流れを生成し、当該混合は前記混合気が燃焼のためにエンジンへと流れる前に実行されることを特徴とする機器。
【請求項２】
前記燃料はディーゼル燃料であることを特徴とする請求項１に記載の機器。
【請求項３】
前記１つ以上の燃料噴射器の少なくとも１つは、前記空気導管に隣接していることを特徴とする請求項１に記載の機器。
【請求項４】
前記１つ以上の燃料噴射器の少なくとも１つは、前記バルブ本体に隣接していることを特徴とする請求項１に記載の機器。
【請求項５】
前記混合気は前記空気導管内では燃焼し難いことを特徴とする請求項１に記載の機器。
【請求項６】
１つ以上のシリンダをさらに具備し、前記混合気は前記１つ以上のシリンダ内に流れ、追加の燃料が前記混合気の燃焼のために前記１つ以上のシリンダ内に噴射されることを特徴とする請求項１に記載の機器。
【請求項７】
第２ガス流れを前記空気導管内に導入するための、前記空気導管に隣接した吸入口を備えた供給部をさらに具備し、
前記吸入口は前記バルブ本体にもしくはそれよりも上流にあり、前記第１および第２ガス流れは前記燃料と混合されて混合気を生成することを特徴とする請求項１に記載の機器。
【請求項８】
前記第１ガス流れと第２ガス流れとは、流入流れと排出ガス再循環流れとを含んでいることを特徴とする請求項７に記載の機器。
【請求項９】
混合ソーンが前記第１ガス流れと第２ガス流れとの混合によって形成されることを特徴とする請求項７に記載の機器。
【請求項１０】
前記燃料は前記混合ゾーン内に噴射されることを特徴とする請求項９に記載の機器。
【請求項１１】
前記バルブ本体は、前記吸入口において前記供給部の長手軸に直交した面を貫通していることを特徴とする請求項７に記載の機器。
【請求項１２】
前記空気導管内において前記バルブ本体を前方および後方に変位させるアクチュエータをさらに具備し、
前記バルブ本体と供給部とはそれらの間でベンチュリを形成することを特徴とする請求項１に記載の機器。
【請求項１３】
前記空気導管の狭窄部はテーパ状となっていることを特徴とする請求項１に記載のシステム。
【請求項１４】
前記空気導管の狭窄部内に位置することが可能な前記バルブ本体の端部は、テーパ状となっていることを特徴とする請求項１に記載のシステム。
【請求項１５】
前記バルブ本体は前記テーパ状の端部の上流に第２端部を備えており、該第２端部は卵形であることを特徴とする請求項１４に記載のシステム。
【請求項１６】
前記空気導管の狭窄部は最小径を有し、
前記バルブ本体は最大径を有し、
前記バルブ本体の最大径は前記空気導管の最小径と少なくとも同じ大きさであることを特徴とする請求項１に記載のシステム。
【請求項１７】
前記バルブ本体は、前記狭窄部の断面領域が完全に閉塞される範囲まで、前記空気導管の狭窄部を通じて移動可能であることを特徴とする請求項１６に記載のシステム。
【請求項１８】
予備混合ガス流れおよび燃料のための機器であって、該機器は、
第１ガス流れのための吸入口を備え、該吸入口を通じて空気がエンジンへと流れる空気導管であって、狭窄部を備えた空気導管と、
可変のベンチュリ効果化および可変の吸気を達成するために、前記空気導管の長手方向に配置されるように組み込まれたバルブ本体と、
第２ガス流れを前記空気導管内に導入するための、前記空気導管に隣接した吸入口を備えた供給部であって、前記バルブ本体にもしくはそれよりも上流に配置された供給部と、
前記空気導管内に燃料を噴射するための１つ以上の燃料噴射器であって、前記バルブ本体にもしくはそれよりも上流に配置された１つ以上の燃料噴射器と、を具備し、
前記空気導管内に噴射された燃料は前記ガス流れと混合して混合気流れを生成し、当該混合は前記混合気が燃焼のためにエンジンへと流れる前に実行されることを特徴とする機器。
【請求項１９】
前記燃料はディーゼル燃料であることを特徴とする請求項１８に記載の機器。
【請求項２０】
前記１つ以上の燃料噴射器の少なくとも１つは、前記空気導管に隣接していることを特徴とする請求項１８に記載の機器。
【請求項２１】
前記１つ以上の燃料噴射器の少なくとも１つは、前記バルブ本体に隣接していることを特徴とする請求項１８に記載の機器。
【請求項２２】
前記混合気は前記空気導管内では燃焼し難いことを特徴とする請求項１８に記載の機器。
【請求項２３】
１つ以上のシリンダをさらに具備し、前記混合気は前記１つ以上のシリンダ内に流れ、追加の燃料が前記混合気の燃焼のために前記１つ以上のシリンダ内に噴射されることを特徴とする請求項１８に記載の機器。
【請求項２４】
前記第１ガス流れと第２ガス流れとは、流入流れと排出ガス再循環流れとを含んでいることを特徴とする請求項１８に記載の機器。
【請求項２５】
前記空気導管内において前記バルブ本体を前方および後方に変位させるアクチュエータをさらに具備し、
前記バルブ本体と供給部とはそれらの間でベンチュリを形成することを特徴とする請求項１８に記載の機器。
【請求項２６】
予備混合ガス流れおよび燃料のための方法であって、
狭窄部を備えた空気導管を通じてエンジンに第１ガス流れを供給するステップと、
可変のベンチュリ効果および可変の吸気を達成するために、前記空気導管の長手方向にバルブ本体を配置するステップと、
前記バルブ本体においてもしくはそれよりも上流から前記空気導管内に燃料を噴射するステップと、を含み、
前記空気導管内に噴射された燃料は前記ガス流れと混合して混合気流れを生成し、当該混合は前記混合気が燃焼のためにエンジンへと流れる前に実行されることを特徴とする方法。
【請求項２７】
前記空気導管に隣接した吸気口を備えた供給部から前記空気導管へと第２ガス流れを供給するステップをさらに含み、
前記吸入口は前記バルブ本体にもしくはそれよりも上流にあり、前記第１および第２ガス流れは前記燃料と混合されて混合気を生成することを特徴とする請求項２６に記載の方法。
【請求項２８】
前記第１ガス流れと第２ガス流れとは、流入流れと排出ガス再循環流れとを含んでいることを特徴とする請求項２７に記載の方法。
【請求項２９】
前記混合気は前記空気導管内では燃焼し難いことを特徴とする請求項２６に記載の方法。
【請求項３０】
前記燃料は１つ以上の燃料噴射器によって噴射され、前記１つ以上の燃料噴射器の少なくとも１つは、前記空気導管に隣接していることを特徴とする請求項２６に記載の方法。
【請求項３１】
前記燃料は１つ以上の燃料噴射器によって噴射され、前記１つ以上の燃料噴射器の少なくとも１つは、前記バルブ本体に隣接していることを特徴とする請求項２６に記載の方法。
【請求項３２】
前記混合気は前記空気導管内では燃焼し難いことを特徴とする請求項２６に記載の方法。
【請求項３３】
前記混合気は前記１つ以上のシリンダ内に流れ、追加の燃料を前記混合気の燃焼のために前記１つ以上のシリンダ内に噴射煤ステップをさらに含んでいることを特徴とする請求項２６に記載の方法。
【発明の詳細な説明】
【技術分野】
【０００１】
この教示は全体的に内燃エンジンにおける排出ガス再循環に関し、より具体的には、ディーゼル燃料噴射の排出ガス再循環システムに関する。
【背景技術】
【０００２】
既知のとおり、内燃エンジンは燃焼シリンダ内への燃料の導入によって作動する。エネルギは、燃料の急速な燃焼のために、膨張ガスの形式によって解放され、それはピストンに作用し、燃料の化学的エネルギを機械的エネルギへと変換する。ピストンはクランクシャフトに接続されており、ピストンの直線的な上下運動は、自動車のホイールを回転するために必要とされる回転運動へと変換される。急速な燃焼を生成するために、燃料は、空気が圧縮される前もしくは後のいずれかにおいて吸入空気と混合され、次いで燃焼を生じるために点火される。この燃焼が生じた後、残存した排出ガスはシリンダの外部に強制的に排出され、それに続いて周囲環境に放出されるか、または、最近では、エンジン内に処理および／もしくは再循環され、これは排出ガス再循環（ＥＧＲ）として知られている。
【０００３】
例えば、ディーゼルのターボチャージの際、それに限定されるものではないが、大部分の場合における排出ガスの圧力は吸入空気よりも低く、したがって、排出ガスは、排出ガスの十分な供給に到達するために実行される手段無しに十分な再循環を行うことが可能ではない。そのような手段は、例えばベンチュリ、排出絞り、または吸入絞りによって解決されてもよい。
【０００４】
流入流れ内にベンチュリを配置することによって、排気チャネル側と空気吸入口の入り口チャネル側との間の有利な圧力差がベンチュリ内において局所的に達成され、ターボの上流から除去された排出ガスはエンジンの入り口パイプ内に供給されることが可能となる。燃焼温度の低下の結果として、ＮＯｘレベルの低下が得られる。しかしながら、従来のベンチュリによる解決策は、たとえば高い圧力損失を通じたエンジン出力の減少、それに伴う燃料消費の増大と煙の増大の形式の不利益に関係していた。
【０００５】
全体が参照されることによって本願に含められた特許文献１（Ｂｅｒｇｇｒｅｎ他）は、ＥＧＲシステムを設けることによる先行技術に関連した問題を未然に防ぎ、そのシステムにはＥＧＲ入口近傍のラインの長手方向に変位されて配置された流線型の本体を含んでいる。本体はベンチュリ効果の変化を達成することを可能にし、吸入効果および混合した流れの混合を変化させる。そのシステムは、ライン内において本体を前方および後方に変位させるためのアクチュエータを含んでいる。
【０００６】
次いで、吸入空気およびＥＧＲはエンジンに流れる。燃料は慣習的にディーゼルエンジンのシリンダ内に直接噴射され、その結果、不均一な充填となり、炎を拡散させ、噴射された燃料の量はそこで出力を制御するために測定される。しかしながら、シリンダ内への燃料の直接噴射は、燃焼のための燃料／空気の混合を最適化することを可能としない。
【先行技術文献】
【特許文献】
【０００７】
【特許文献１】米国特許第７，０３６，５２９号明細書
【特許文献２】米国特許第７，７２１，５３０号明細書
【特許文献３】米国特許第６，８８６，５４５号明細書
【発明の概要】
【発明が解決しようとする課題】
【０００８】
したがって、排出ガス再循環（ＥＧＲ）ベンチュリディーゼル噴射のための優れたシステムおよび方法を備えることが有益である。
【課題を解決するための手段】
【０００９】
ここで説明する必要性ならびにさらなるおよび他の必要性ならびに利点は、いかに記載する解決策および利点を示した本実施形態によって述べられている。
【００１０】
本実施形態のシステムは、限定されるものではないが、第１ガス流れのための吸入口を備え、この吸入口を通じて空気がエンジンへと流れる空気導管であって、狭窄部を備えた空気導管を含んでいる。バルブ本体はベンチュリ効果の変化および吸気の変化を達成するために、空気導管の長手方向に変位されるように組み込まれている。１つ以上の燃料噴射器は、空気導管内に燃料を噴射するために、バルブ本体にもしくはそれよりも上流に配置されている。このようにして、空気導管内に噴射された燃料はガス流れと混合して混合気流れを生成し、当該混合は混合気が燃焼のためにエンジンへと流れる前に実行される。
【００１１】
本実施形態の方法は、限定されるものではないが、狭窄部を備えた空気導管を通じて第１ガス流れをエンジンに供給するステップと、可変のベンチュリ効果を達成し、これによって可変の吸気を達成するために、バルブ本体を空気導管内の長手方向に配置するステップと、燃料を空気導管内のバルブ本体にもしくはそれよりも上流に噴射するステップと、を含んでいる。空気導管内に噴射された燃料はガス流れと混合して混合気流れを生成し、当該混合は前記混合気が燃焼のためにエンジンへと流れる前に実行される。
【００１２】
システムおよび方法の他の実施形態は以下に詳細に記載されており、それらもこの教示の一部である。
【００１３】
本実施形態の良好な理解のために、その他のおよびさらなる態様とともに、添付図を参照して詳細が記載されており、その範囲は添付の請求項に示されている。
【図面の簡単な説明】
【００１４】
【図１】この教示による、エンジンの流入空気を制御するためのシステムの一実施形態を示した概略図である。
【図２】一実施形態中のセンサのための圧力変換器を使用した、図１のシステムを示した概略図である。
【図３Ａ】図１のシステムを使用した流入空気の絞りおよび遮断を示した側方部分断面図である。
【図３Ｂ】図１のシステムを使用した流入空気の絞りおよび遮断を示した側方部分断面図である。
【図３Ｃ】図１のシステムを使用した流入空気の絞りおよび遮断を示した側方部分断面図である。
【図４】再循環排出ガスのための供給部を使用していない、図３Ｂの空気導管を示した部分断面図である。
【図５】流入空気内への燃料噴射器の実施形態を示した側方部分断面図である。
【発明を実施するための形態】
【００１５】
この教示は、添付図を参照するとともにこれ以降より完全に記載されており、添付図には本実施形態が示されている。これ以降の記載は説明に役立つ提案のみを示したものであり、この教示はこれらの実施形態に限定されるべきではない。
【００１６】
この教示によるエンジン吸気制御システム１０の一実施形態の基本構成が、図1に示されている。明細書内に使用された「上部」、「底部」、「上」、「下」、「上に」、「下に」、「真上に」、「真下に」、「上部」、「下部」、「上向き」、「下向き」、「上側」、「下側」、「前部」、「後部」、「後方」、「前向き」、および「後ろ向き」の用語は、図内に示された方向において参照された目的物を参照しており、この教示の目的を達成するために必要なものではない。
【００１７】
この教示は、ディーゼルおよびガソリンエンジンを含んだ、しかし、それらに限定されるものではないが、内燃エンジンのためのＥＧＲ（排出ガス再循環）内への燃料の噴射を含んでいる。一般的に、可変ベンチュリはエンジンの上流に配置され、外部空気吸気口のための主吸気口、およびエンジン排出口からの再循環排出ガスを導入するための別の吸気口を含んでいる。ベンチュリの傾斜した構造は、排出ガスをライン内に「圧送」することに寄与し、バルブ本体は、排出ガスが吸入された空気と混合される範囲を制御するために使用されてもよい。
【００１８】
一般的に、ディーゼル燃料がディーゼルエンジンのシリンダ内に直接噴射される。しかしながら、シリンダ内への直接の燃料噴射は、燃焼のための良好な燃料／空気混合を可能としていない。より完璧な混合がＥＧＲシステム内に燃料噴射器を設けることによって達成され、シリンダに到達する前に、ディーゼル燃料を空気と予備混合する。このことはシリンダ内への直接の燃料噴射の必要性を排除し、優れた燃料／空気混合を提供して、シリンダ内に噴射される燃料の量を減少し、シリンダ内により素早く燃料が噴射されることを可能にして、燃料噴射システムより簡素にすることを可能にしている。さらに、システムは燃料消費および汚染を減少することを補助する。
【００１９】
図1を参照すると、この教示による、吸入空気流を制御するためのシステムの一実施形態の概略図が図示されている。システム１０はエンジン２２に空気を供給する空気導管２０を含んでいる。空気は導管２０を通じて流れるので、空気は空気を圧縮する１つ以上のコンプレッサ（例えば、スーパーチャージャ、ターボチャージャ等：図示略）を通じて、もしくは通じることなく流れ、続いて吸気マニホールド２８（矢印Ａによって指示）を介してエンジン２２のシリンダ２６内に導入される。
【００２０】
シリンダ２６内において、燃料は噴射され、燃焼のために空気と混合される。燃焼のための燃料リッチの空気を点火した後、排出ガスがシリンダ２６から放出され、排気マニホールド３２（（矢印Ｂによって指示）を介して排出ガス導管３０に導かれる。排出ガスは排出ガス導管３０を通じて流れるので、排出ガスは前述のコンプレッサ／ターボチャージャを通じて流れてその内部のタービンを回転するか、もしくは通じることなく流れ、その回転はコンプレッサを回転させ、これによって空気導管２０を通じた流入空気流れを圧縮する。
【００２１】
一般的に、すべてのガスが排気ガスマニホールド３２を介して排出されるものではない。これは、エンジン２２がシリンダ２６内のガスの圧縮および膨張を介して圧縮および燃焼ストロークを発生して、その内部のピストンを移動させ、この工程の間にいくらかのガスはピストンリングを通ってクランクケース内に漏れるためである。したがって、ある場合には、これらのクランクケースのガスを処理するための機器も排出ガスシステム内に組み込まれており、それはＨｏｌｍの特許文献２に記載されたようなものであり、その全体は参照することによって本願に組み込まれている。
【００２２】
排出ガスは排出ガス導管３０を通じて排出ガス後処理デバイス４０へと続いてもよく、そこでは、排出ガスは大気中に排出される前にフィルタを通され、および／またはシステムを通じて再循環するために吸気導管２０に戻されてもよい。排出ガス後処理デバイス４０は、例えばディーゼル微粒子フィルタまたは壁面流微粒子フィルタのような微粒子フィルタを具備していてもよく、それらは酸化および／または還元触媒ならびに微粒子フィルタを含んでいる。
【００２３】
ＥＧＲシステムが再循環される前に排出ガスをろ過する場合、これは「低圧」または「長経路」システムとして知られている。「高圧」または「短経路」ＥＧＲシステムにおいて、再循環のための排出ガスは排気マニホールドから、これらの排出ガスがタービンもしくは後処理システムに導入される前に、直接吸気口内に戻るように進められる。
【００２４】
少なくとも１つのセンサ４２が後処理デバイス４０内に配置され、その内部の温度および／または圧力降下を反映するパラメータを測定してもよい。ある実施形態において、温度センサ４２が後処理デバイス４０の内部の温度を測定するために使用されてもよい。しかしながら、他の実施形態においては、少なくとも１つのセンサが他のパラメータを直接測定し、そこから温度が導き出されるか、または予測されてもよい。例えば、図２に示されたように、センサは圧力降下を測定するための圧力変換器４８を具備していてもよい。
【００２５】
センサ４２は、センサ４２と通信状態にあるプロセッサ４４に伝達するセンサ信号を発生することができる。次いで、プロセッサ４４は、センサ４２から受信したセンサ信号の少なくとも一部に基づいた制御信号を発生し、この制御信号をアクチュエータ５０に伝達し、アクチュエータ５０は空気導管２０内のバルブ本体５２を作動させる。このことは以下にさらに詳細に記載されている。
【００２６】
プロセッサ４４はデジタルプロセッサ、アナログプロセッサ、またはそれらの両方のハイブリッドプロセッサを具備することが可能であり、ハードウェア、ソフトウェア、ファームウェア等に統合されてもよい。プロセッサ４４の精密な構成は、プロセッサ４４がここに議論された動作を実行することが可能である限り、重要ではないことが理解される。単一の通信リンクがセンサ４２およびアクチュエータ５０のために設けられ、２つの別々の通信リンクが（たとえば１つはセンサをプロセッサに接続するため、およびもう１つはアクチュエータをプロセッサ４４に接続するために）設けられてもよく、または複数の通信リンクが設けられてもよい。ある環境において、通信リンクを制御領域ネットワーク（ＣＡＮ）バスとして、またはＣＡＮバスの一部として構成することが望まれる。
【００２７】
プロセッサ４４は制御信号を発生するための任意の多数の手段、を使用することが可能であり、例えば数式もしくはアルゴリズムを使用した図示された方式（しかし限定されない）、または参照テーブルのようなものを採用したものである。ある場合において、プロセッサ４４をあるタイプのメモリ４６とともに設け、数式、アルゴリズム、テーブル等がその内部に蓄積されえるようにすることが望まれる。プロセッサ４４は、後処理デバイスの正確な動作のために適切な設定された特定の温度よりも高いまたは低い温度差の少なくとも一部に基づいて制御信号を発生することができ、したがって、メモリ４６内に温度の数値を格納することが望まれてもよい。ある場合において、この温度は固定値であり、一方で別の場合においては、動作状態に依存して変動してもよく、数式、アルゴリズム、もしくは参照テーブルからの検索に基づいて計算されてもよい。
【００２８】
図３Ａ〜３Ｃを参照すると、図１のシステムを利用した吸入空気流を絞りおよび遮断するための実施形態の側面を図示した部分断面図が示されている。バルブ本体５２は空気導管２０内に配置され、その内部にホルダ５４によって保持され、その内部において長手方向に移動可能とされている。空気導管２０は、導管２０の流れの方向に減少した断面積を有する狭窄部６０を備えていてもよい。結果的に、狭窄部６０はテーパ状とされており、空気導管２０の最小径を示した小さい喉部６２を形成している。図３Ａに示されたように、バルブ本体５２は、通過する空気流を絞るために、この狭窄部６０内に配置されることが可能な第１端部６４を備えていてもよい。
【００２９】
ある有利な実施形態において、供給部７０は再循環された排出ガスを空気導管２０内に導入するために採用されてもよく、バルブ本体５２は流入空気と再循環された排出ガスとの混合を制御するために使用されてもよい。これはＢｅｒｇｇｅｎ他の特許文献１に開示されており、その全体は参照されることによって本願に組み込まれている。したがって、参照の範囲に対して空気導管を通じたここに空気または空気流が形成され、これは外部吸入空気、再循環された排出ガス、および／またはそれら両方の混合気を含むことを意味していると理解されるべきである。
【００３０】
現行システムにおけるＥＧＲシステムの１つの利点は、冷間始動の際に、ＳＣＲ（選択触媒還元）システムを作動することなく（ＮＯｘ）排出レベルに応じるために、通常値を超えてＥＧＲ比率を増大させるために絞りが使用されることが可能なことであり、これらの非常に高いＥＧＲ比率は燃焼温度も増大し、燃焼状態を改善して、多大な排出熱エネルギがＥＧＲ冷却器を介して冷却システムに伝達されるため、エンジン暖機を早めることにある。
【００３１】
（図１および２に示された）少なくとも1つのセンサ４２は温度を監視するために採用されることができ、温度があるしきい値の温度よりも低く下降した場合に、プロセッサ４４が適切な信号をバルブ本体５２のピストンを制御するアクチュエータ５０に伝達するようにしてもよい。多様な機器がバルブ本体５２を保持し且つ作動するために採用されてもよいことが記されておくべきであり、それらはＢｅｒｇｇｒｅｎ他の特許文献１に開示されたようなものである。
【００３２】
図３Ｂに示されたように、アクチュエータ５０が制御信号を受信したとき、アクチュエータはバルブ本体５２を下流に移動させ、バルブ本体５２の端部６４は狭窄部６０を通じて移動し、これによって空気流が絞られる範囲を変化させる。その結果として、より少ない空気がエンジン２２内に流れ、次いで、より小さい質量が燃焼によって生成された熱を吸収するために、より少量の排出ガスは高温となる。
【００３３】
測定されたもしくは予測された温度は制御信号を発生するために使用された制御変数のみを含んでいてもよく、または制御信号を発生するために使用された複数の制御変数の１つのみを含んでいてもよい。たとえば、システムは少なくとも１つの追加のセンサを含み、このセンサは多様な追加のパラメータを感知してセンサ信号を発生し、そのような追加のパラメータを示したセンサ信号をプロセッサ４４に伝達してもよい。これらのことはＨｏｌｍの特許文献３に開示されており、その全体は参照することによって本願に組み込まれている。
【００３４】
バルブ本体５２は第２端部６６を備えている。ある有利な実施形態において、バルブ本体は流線型本体とされており、この第２端部６６は全体的に卵形形状とされているが、しかしながら、バルブ本体はベンチュリを変化するために任意の適切な形状とされ得る。図３Ｃに示されたように、バルブ本体は、喉部６２の最小径と少なくとも同じ大きさ（ある場合においてはそれよりも大きい）最大径６８を備えている。したがって、バルブ本体は十分に離れた下流の位置へと移動することが可能であり、そこで空気導管２０の断面領域が完全に閉鎖される。ある実施形態において、このことは、プロセッサ４４（または離れたプロセッサ）によって受信された緊急遮断信号に対応し得る。このように空気の供給を制限することによって、エンジン遮断の工程はより素早く且つ少ない騒音となり得る。
【００３５】
図３Ａ〜３Ｃに示された絞り機構は、供給部７０を採用したアセンブリを参照するとともに図示されており、供給部は再循環排出ガスを空気導管２０の狭窄部６０のベンチュリ効果を利用して導入するものであるが、前述したエンジンの吸入空気流の絞りは供給部７０を省いても同様に達成されることが可能である。図４を参照すると、排出ガスを再循環するための供給部を使用していない、図３Ｂの空気導管の部分断面図がしめされている。以下にさらに議論されているように、燃料噴射部８０はシリンダに到達する前に燃料を空気と混合するために使用されてもよい。
【００３６】
図５を参照すると、吸入空気流内への燃料噴射の実施形態を図示した部分断面図が示されている。例えばディーゼルエンジンは、それに限定されないが、伝統的にシリンダ内において燃料と空気とを混合し、結果的に不均一な充填および炎の拡散が発生し、噴射された燃料の量が出力を制御するために測定されなければならない。この教示による一実施形態において、１つ以上の燃料噴射部８０が、（たとえば伝統的な直噴等を介して）燃焼のためにシリンダ内に燃料を導入する前に、吸入空気およびＥＧＲと燃料とを予備混合するために使用されてもよい。したがって、シリンダ内に入る混合気は、限定されるものではないが、空気、ＥＧＲ、および好適に燃焼できない量の燃料を含んでいる。
【００３７】
ベンチュリは、ＥＧＲと空気との混合を制御するために、燃料噴射器とともに使用されてもよい。すでに議論されたように、バルブ本体５２はエンジン内への空気流を制御するために使用されてもよい。ここで、空気の流速は非常に高く、エンジンに到達する前に燃料を空気流と予備混合する機会が提供されている。燃料噴射は１つ以上のセンサ４０によって監視および制御されるが、それに限定されない。予備混合された燃料に伴う１つの問題は、（空気のみが圧縮された後に燃料が噴射される従来のディーゼルエンジンと比較して）燃料がエンジンの圧縮の際に燃焼しやすいことである。ガスを圧縮したとき、温度は上昇し、燃料が存在しているために、均一な充填は自動点火を起こし、（例えばノッキング等の）非制御燃焼に帰結して、エンジンを損傷する。したがって、空気導管２０内において、燃焼が容易とならない段階に燃料を予備混合することが望まれる。次いで、混合気がシリンダ２６内に入り、圧縮が開始されたとき、少量の追加の燃料が（例えば伝統的な直噴等によって）導入され、燃焼しやすい混合気に到達してもよい。シリンダに到達する前の燃料の予備混合は燃料消費を改良する。なぜならば、未燃焼燃料の残存が少なく、シリンダ内への追加の燃料の直接噴射は、少量の燃料であるため、より良好な混合となるためである。
【００３８】
燃料が空気導管２０に沿った任意の位置において空気流内に噴射されることは有用なことであるが、この教示はここに記載された特定の実施形態に限定されるものではない。しかしながら、バルブ本体５２によって形成された混合ゾーン８２内に燃料を導入することは好ましいことである。供給部７０はバルブ本体５２にまたはその上流に配置された空気導管２０に隣接した吸入口を備えていてもよい。したがって、燃料はバルブ本体５２にまたはその上流に導入されてもよい。ここで、吸入空気と（供給部７０を通じて流入した）ＥＧＲとの混合は、一部において高い気流の速度であるために、燃料との効果的な混合を確実にする。暖められたＥＧＲは正確な燃料の蒸発も提供することができる。
【００３９】
一実施形態において、限定されるものではないが、燃料は１つ以上の燃料噴射部８０によって導入されてもよい。図５においてバルブ本体５２の上下の燃料噴射部８０によって示されたように、１つ以上の燃料噴射部８０が空気導管２０に隣接し且つそこから伸びていてもよい。このように、燃料を空気と正確に混合することを確実にするために、燃料は導管に沿った好適な位置において空気の流れに導入されることが可能である。吸入空気およびＥＧＲ空気の混合によって形成された混合ゾーン８２内に導入された場合、高い気流の速度とＥＧＲの熱とは燃料を蒸発させ混合することを補助する。
【００４０】
別の実施形態において、１つ以上の燃料噴射部８０の少なくとも１つは、バルブ本体５２から伸びていてもよい。この実施形態において、燃料はホルダ５４を通じて入るが、それに限定されるものではなく、バルブ本体５２の配置のために空気の流速が上昇する混合ゾーン８２の中間において分散されてもよい。バルブ本体５２内の小さいオリフィスを介した燃料噴射部は、シリンダに到達する前に空気、ＥＧＲ、および燃料の適当な混合を提供する。１つまたは複数の燃料噴射部８０を含む燃料噴射部８０が空気導管２０の長さに沿ったあらゆる位置に配置されてもよいことは有用であるが、この教示はここに記載された例示的な実施形態に限定されるものではない。
【００４１】
この教示は特定の実施形態に関して記載されたが、一方でそれらは開示された実施形態に限定されるものではないことが理解される。多数の変更および他の実施形態がこれに付随して当業者によって想到され、意図され、それらは開示および添付の請求項の両方にカバーされている。この教示の範囲は添付された請求項並びに法的な均等の正確な解釈および構成によって確定されるべきであることを意図しており、この明細書および添付図内の開示を信頼した当業者によって理解されるものである。
【符号の説明】
【００４２】
１０  ・・・システム、      ２０  ・・・空気導管、      ２２  ・・・エンジン、      ２６  ・・・シリンダ、      ２８  ・・・吸気マニホールド、      ３０  ・・・排出ガス導管、      ３２  ・・・排気マニホールド、      ４０  ・・・排出ガス後処理デバイス、      ４２  ・・・センサ、      ４４  ・・・プロセッサ、      ４６  ・・・メモリ、      ４８  ・・・圧力変換器、      ５０  ・・・アクチュエータ、      ５２  ・・・バルブ本体、      ５４  ・・・ホルダ、      ６０  ・・・狭窄部、      ６２  ・・・喉部、      ７０  ・・・供給部、      ８０  ・・・燃料噴射部、      ８２  ・・・混合ゾーン
【図１】
2013044331.tif 000003
【図２】
2013044331.tif 000004
【図３Ａ】
2013044331.tif 000005
【図３Ｂ】
2013044331.tif 000006
【図３Ｃ】
2013044331.tif 000007
【図４】
2013044331.tif 000008
【図５】
2013044331.tif 000009
【外国語明細書】
2013044331000001.pdf